(57)【要約】【課題】背側折り返し部内への背見出し収容部の形成と背見出しの着脱操作を円滑，容易，合理的になすことができ、使用に伴う背見出しの汚損のおそれもなく、資料の収容スペースや収容操作にも支障を来たさないクリアホルダーの提供。【解決手段】合成樹脂製の表シートと裏シートとが屈折して重合するクリアホルダーの背側折り返し部内において、表シートと裏シートの内面側でその折り返し部からやや離れた位置に、夫々その折り返し部と反対側側縁部を接着して長方形状の表シート側および裏シート側取り付けガイド片を配設し、その背側折り返し部を間に挟んで接続する表裏シートと表シート側および裏シート側取り付けガイド片との間の空隙部内に跨って背見出し片を装着する。【選択図】図１
2008238630.tif 000002
【特許請求の範囲】
【請求項１】
透明もしくは半透明の合成樹脂製シートを二つ折りに折り返して表シートと裏シートとが重合する状態となし，この重合する表シートと裏シートとの下側縁部は溶着等により閉塞する一方、その上側縁部と側縁部の一方即ち背側折り返し部と反対側の側縁部とは開放して、その表裏両シート間に紙面や書類等の資料を収容するようになしたクリアホルダーにおいて、このクリアホルダーの背側折り返し部側の表裏両シートの夫々の内面側で，その背側折り返し部からやや離隔した位置に、適宜幅適宜長さの長方形状の表シート側及び裏シート側の背見出し取り付けガイド片を，夫々背側折り返し部と反対側の長さ方向側縁部のみをそれに沿って接着せしめた状態で取り付け配設するとともに、そのクリアホルダーの背側折り返し部内において，背側折り返し部を間に挟んでその両側に続いて跨る表シート内面側と表シート側背見出し取り付けガイド片との間および裏シート内面側と裏シート側背見出し取り付けガイド片との間の間隙部内に，長さ方向中央部から二つ折りとなした背見出し片を着脱可能に挿入装着せしめて用いることを特徴とするクリアホルダー。
【請求項２】
クリアホルダーの背側折り返し部内に配設された表シート側背見出し取り付けガイド片もしくは裏シート側背見出し取り付けガイド片のいずれか一方の上面部の一部を切欠する又はいずれか一方の上面部を他方の上面部より下方にずらして位置せしめ、両背見出し取り付けガイド片の取り付け高さの位置に段差を設けたことを特徴とする請求項１記載のクリアホルダー。
【請求項３】
透明もしくは半透明の合成樹脂製シートを二つ折りに折り返して表シートと裏シートとが重合する状態となし，この表シートと裏シートとの折り返し部に続く下側縁部は閉塞部となす一方，表シートと裏シートとの折り返し部に続く上側縁部およびそれと反対側側縁部は開放部となしその間に紙面や書類等の資料を収容するようになしたクリアホルダー一対を、互いに側縁開放部を対向配置する状態で一方のクリアホルダー内に他方のクリアホルダーを挿入し，外側のクリアホルダーの表シートと裏シートとの側縁開放部側の端面を内側のクリアホルダーの表シートおよび裏シート外面に接着して側縁開放部を閉塞し，組み合わせた一対のクリアホルダーの上側縁部のみが開放し内部に資料を収容する袋状ホルダーとなし、この内外に組み合わせた一対のクリアホルダーの双方もしくは外側配置のクリアホルダーの背側折り返し部内に背見出し取り付けガイド片を介して背見出し片を配設せしめてなるものであり、この背見出し取り付けガイド片と背見出し片の配設は、このクリアホルダーの背側折り返し部側の表裏両シートの夫々の内面側で，その背側折り返し部からやや離隔した位置に、適宜幅適宜長さの長方形状の表シート側及び裏シート側の背見出し取り付けガイド片を，夫々背側折り返し部と反対側の長さ方向側縁部のみをそれに沿って接着せしめた状態で取り付け配設するとともに、そのクリアホルダーの背側折り返し部内において，背側折り返し部を間に挟んでその両側に続いて跨る表シート内面側と表シート側背見出し取り付けガイド片との間および裏シート内面側と裏シート側背見出し取り付けガイド片との間の間隙部内に，長さ方向中央部から二つ折りとなした背見出し片を着脱可能に挿入装着せしめて行うことを特徴とするクリアホルダー。
【請求項４】
内外に組み合わせた一対のクリアホルダーの双方もしくは外側配置のクリアホルダーの背側折り返し部内に配設した表シート側背見出し取り付けガイド片もしくは裏シート側背見出し取り付けガイド片のいずれか一方の上面部の一部を切欠する又はいずれか一方の上面部を他方の上面部より下方にずらして位置せしめ、両背見出し取り付けガイド片の取り付け高さの位置に段差を設けたことを特徴とする請求項３記載のクリアホルダー。
【発明の詳細な説明】
【技術分野】
【０００１】
本発明は、透明もしくは半透明の合成樹脂製シートを二つ折りに折り返して表シートと裏シートが重合する状態となし、重合する表シートと裏シートの下側縁部を溶着等により閉塞する一方、その上側縁部と側縁部の一方即ち背側折り返し部と反対側の側縁部とは開放して、その表裏両シート間に紙面や書類等の資料を収容して使用するクリアホルダーに関するもので、とりわけ、ホルダーの背側折り返し部内に配設されてホルダー内部に収容する資料の内容を簡潔に表示する背見出し片の挿入部の配設をホルダー内の資料収容スペースを狭めることなく簡易になすことができ、使用による背見出し片の汚損のおそれもなく、背見出し片のホルダー内への着脱操作も迅速，容易になすことができ、更には収容する資料が増加しても外部に脱落するおそれはなくその量に応じて資料の収容を円滑・整然と行うことができて，使用上好適であるクリアホルダーに係るものである。
【背景技術】
【０００２】
従来の斯かるクリアホルダーもしくはクリアファイルの背見出し取り付け手段に関するものとしては、例えば下記に示す特許文献１，２に記載されたもの等がある。
【特許文献１】実開昭６２−９５７３号公報
【特許文献２】特開２００４−１２２４５号公報
【０００３】
前記特許文献１記載のものは、クリアホルダーの背側折り返し部より適宜幅内側に寄ったところの表裏両シートを背側折り返し部に沿って溶着して、背側折り返し部側の内面に細幅の背見出し片挿入用の扁平筒状部を形成し、その中に背見出し片を挿入するようになすとともに、その扁平筒状部外面に切欠部を設けて収容する背見出しの着脱に便となしたものである。  しかしこの場合には、背見出し片挿入部が細幅の扁平筒状で収容スペースが比較的狭く、外部に切欠部を設けたとしてもそのスペース内への背見出し片の着脱操作に円滑、迅速性を欠くものであり、表裏両シートの背側折り返し部側内面をそれに沿って溶着しているため、ホルダー内における書類等資料の収容スペースがその分だけ狭められ、そのスペースを広く取ろうとすると背見出し挿入部の幅だけホルダーの幅を広くしなければならないという難点があった。
【０００４】
また特許文献２記載のものは、ファイル又はホルダーの背表紙側外面に透明な樹脂製カバーないし膜の両側縁部を接着して見出し挿入部を設けたものであるが、この場合にも見出し挿入部が扁平筒状で収容スペースが狭く薄いものであるため、これに切欠部や切欠窓を設けても見出しの取り付け取り外しの円滑，容易性の点で難点があった。
【発明の開示】
【発明が解決しようとする課題】
【０００５】
本発明は、斯かる従来技術の有する諸難点を解消して，ホルダーの背側折り返し部内に配設されてホルダー内部に収容する資料の内容を簡潔に表示する背見出し片の挿入部の配設をホルダー内の資料の収容スペースを狭めることなく簡易になすことができ、使用による背見出し片の汚損のおそれもなく、背見出し片のホルダー内への着脱操作も迅速，容易になすことができ、更には収容する資料が増加してもその量に応じて資料の収容を円滑・整然と行うことができて，使用上好適であるクリアホルダーを提供することを目的とするものである。
【課題を解決するための手段】
【０００６】
本発明は前記の目的を達成するために、次の手段をとっている。即ち請求項１に記載のとおり、透明もしくは半透明の合成樹脂製シートを二つ折りに折り返して表シートと裏シートとが重合する状態となし，この重合する表シートと裏シートとの下側縁部は溶着等により閉塞する一方、その上側縁部と側縁部の一方即ち背側折り返し部と反対側の側縁部とは開放して、その表裏両シート間に紙面や書類等の資料を収容するようになしたクリアホルダーにおいて、このクリアホルダーの背側折り返し部側の表裏両シートの夫々の内面側で，その背側折り返し部からやや離隔した位置に、適宜幅適宜長さの長方形状の表シート側及び裏シート側の背見出し取り付けガイド片を，夫々背側折り返し部と反対側の長さ方向側縁部のみをそれに沿って接着せしめた状態で取り付け配設するとともに、そのクリアホルダーの背側折り返し部内において，背側折り返し部を間に挟んでその両側に続いて跨る表シート内面側と表シート側背見出し取り付けガイド片との間および裏シート内面側と裏シート側背見出し取り付けガイド片との間の間隙部内に，長さ方向中央部から二つ折りとなした背見出し片を着脱可能に挿入装着せしめて用いることを特徴とするものである。
【０００７】
クリアホルダー内における背見出し片の取り付け取り外し操作の容易性と迅速性を一層増大させるために、請求項２に記載のとおり、クリアホルダーの背側折り返し部内に配設された表シート側背見出し取り付けガイド片もしくは裏シート側背見出し取り付けガイド片のいずれか一方の上面部の一部を切欠する又はいずれか一方の上面部を他方の上面部より下方にずらして位置せしめ、両背見出し取り付けガイド片の取り付け高さの位置に段差を設けたことを特徴とする。
【０００８】
更に、収容する資料の量が増加してもその量に応じて資料の収容を円滑・整然と行うことができて，クリアホルダーの使用上の好適性を一層高めるために、請求項３に記載のとおり、透明もしくは半透明の合成樹脂製シートを二つ折りに折り返して表シートと裏シートとが重合する状態となし，この表シートと裏シートとの折り返し部に続く下側縁部は閉塞部となす一方，表シートと裏シートとの折り返し部に続く上側縁部およびそれと反対側側縁部は開放部となしその間に紙面や書類等の資料を収容するようになしたクリアホルダー一対を、互いに側縁開放部を対向配置する状態で一方のクリアホルダー内に他方のクリアホルダーを挿入し，外側のクリアホルダーの表シートと裏シートとの側縁開放部側の端面を内側のクリアホルダーの表シートおよび裏シート外面に接着して側縁開放部を閉塞し，組み合わせた一対のクリアホルダーの上側縁部のみが開放し内部に資料を収容する袋状ホルダーとなし、この内外に組み合わせた一対のクリアホルダーの双方もしくは外側配置のクリアホルダーの背側折り返し部内に背見出し取り付けガイド片を介して背見出し片を配設せしめてなるものであり、この背見出し取り付けガイド片と背見出し片の配設は、このクリアホルダーの背側折り返し部側の表裏両シートの夫々の内面側で，その背側折り返し部からやや離隔した位置に、適宜幅適宜長さの長方形状の表シート側及び裏シート側の背見出し取り付けガイド片を，夫々背側折り返し部と反対側の長さ方向側縁部のみをそれに沿って接着せしめた状態で取り付け配設するとともに、そのクリアホルダーの背側折り返し部内において，背側折り返し部を間に挟んでその両側に続いて跨る表シート内面側と表シート側背見出し取り付けガイド片との間および裏シート内面側と裏シート側背見出し取り付けガイド片との間の間隙部内に，長さ方向中央部から二つ折りとなした背見出し片を着脱可能に挿入装着せしめて行うことを特徴とする。
【０００９】
このクリアホルダー一対を内外に組み合わせて上側面開放の袋状ホルダーを形成する場合においても、配設する背見出し取り付けガイド片を介した背見出し片の着脱操作等使用上の容易性を向上させるために、請求項４に記載のとおり、内外に組み合わせた一対のクリアホルダーの双方もしくは外側配置のクリアホルダーの背側折り返し部内に配設した表シート側背見出し取り付けガイド片もしくは裏シート側背見出し取り付けガイド片のいずれか一方の上面部の一部を切欠する又はいずれか一方の上面部を他方の上面部より下方にずらして位置せしめ、両背見出し取り付けガイド片の取り付け高さの位置に段差を設けたことを特徴とする。
【発明の効果】
【００１０】
本発明は以上のとおり構成したので、それによって上述の従来技術の有する諸難点を解消し、次の特有の効果を奏する。
【００１１】
請求項１に係る発明においては、背見出し取り付けガイド片をホルダーの表シート内面と裏シート内面に夫々別々にホルダーの背側折り返し部と反対側の側縁部を接着して取り付け、ホルダーの背側折り返し部を間に挟んで表シート内面と表シート側取り付けガイド片との間および裏シート内面と裏シート側取り付けガイド片との間の空間部内にかけて二つ折りの背見出し片を挿入し装着するものであるから、次の効果を有する。
1)  背見出し片挿入部をホルダーの内面又は外面に溶着等により格別に設けるものではないため、その配設を比較的簡易になすことができるとともに、その配設によってホルダー内における資料の収容スペースをその分だけ狭めるという不都合を生じることもない。
2)  表シート内面と裏シート内面に配設した夫々の背見出し取り付けガイド片を介して背見出し片の挿入装着をなすため、背見出し片の挿入スペースを比較的豊かに余裕をもってとることができ、背見出し片の配設部分も含めて表裏シートの全面が自由に開閉可能であることと相まって、背見出し片の着脱操作を円滑、容易になすことができる。そしてその際、挿入した背見出し片は表裏シートと夫々の背見出し取り付けガイド片との間に挟持された状態となるので、背見出し片が不用意に動いたり位置ずれして見にくくなったり、表裏シート間への資料の収容操作に背見出し片やその取り付けガイド片の存在が支障となることがなく、ホルダー内への資料の収容並びに取り出し操作を円滑、整然となすことができる。
3)  背見出し片はホルダー外面に露出することがないので、長期使用に伴い背見出し片が汚損されるという不都合もない。
4)  背見出し片は長さ方向中央部から二つ折りとなして，表シート側ガイド片及び裏シート側ガイド片と表および裏シートとの間の空隙部内に跨って挿入されるものである。  従って、背見出し片を表シート側と裏シート側とに分けて別々に用意し個別に挿入する場合に比して、背見出し片の製造と挿入を一度で済ませることができその手間を簡易なものとなすことができる。  また別々に挿入する手間が省けるだけではなく一枚の背見出し片の中央部に折曲線が入ることにより背見出し片が丈夫となりその補強効果も得られることとなる。  更に、背見出し片が表シート側と裏シート側の双方に跨って配される状態となっているので、ホルダーを棚に多数立てかけて並列配置したような場合に、表シート側，裏シート側のいずれの方向からも即ちホルダーの左右いずれの方向からも背見出しに表示された内容を容易に確認することができ、これは使用上頗る好適である。
【００１２】
請求項２に係る発明においては、表シート内面と裏シート内面とに夫々長手方向一側縁部を接着して配設した表シート側および裏シート側取り付けガイド片の一方の上端部を、切欠する若しくは他方のものより下方にずらせて位置せしめたので、その部分において背見出し片と二つの取り付けガイド片が同時に重なることがなく、背見出し片の挿入，取り出し操作を一層迅速、容易になすことができる。  即ち，表シート側の背見出し取り付けガイド片と裏シート側の背見出し取り付けガイド片の上端部の取り付け位置の高さに段差がない場合には、二つ折りの背見出し片を表シート側と裏シート側の双方の空隙部内に同時に挿入するようにしなければならないため、その挿入にやや手間を要するきらいがあるが、請求項2における場合には、二つの取り付けガイド片の取り付け高さの位置に段差を設けているため、先ず高い位置にある方の取り付けガイド片側の空隙部内に二つ折りの背見出し片の一方の側の部分を挿入し、次いでやや下方の位置にある取り付けガイド片側の空隙部内に背見出し片の他方の側の部分を挿入することにより円滑，容易に背見出し片の挿入を行うことができる。この利便性は、背見出し片の取り出し操作においても同様に発揮される。即ち，上端部の取り付け高さが低い方の取り付けガイド片側の空隙部内に位置する背見出し片の上端部の部分は、取り付け高さが高い方の取り付けガイド片側の空隙部内に位置する上端部の部分と異なり取り付けガイド片の上端部が重なってその陰に隠れることなく露出する状態となっているので、背見出し片上端部に指を触れて上方外部に容易に引き出すことができる。
【００１３】
請求項３に係る発明においては、一対のクリアホルダーを内外に組み合わせて上縁部のみが開放する袋状のホルダーを形成して書類整理等に供しているので、内部に収容する資料の量が増えて，上縁部と側縁部とが開放する通常のクリアホルダーでは収容した資料の脱落のおそれがあるような場合でも、収容する資料の量の増減に対応して内外に組み合わせるホルダーの重合部分の長さないし幅を調節することにより整然と効率的に収容整理することができ、クリアホルダーの使用価値を一層高めることができる。  またこの場合には、内外に組み合わせた外側のホルダーの開放側縁部と内側のホルダーの表裏シート外面との接着に透明なテープを用いることにより、一対のクリアホルダーの背側折り返し部内に夫々取り付けガイド片を介して背見出し片を挿入配設した場合、見出しがホルダーの両側面側に配置されることとなるので棚等に立てて並べたときにいずれの側面を前面側になしても見出しが外部から鮮明に見える状態となり、使用上好適である。外側配置のホルダーの方のみに背見出し片を挿入したものを用いる場合には、背見出し片が配置された方を前面側となせばよく、この場合には内外に組み合わせるホルダーの開放側縁部側の接着に透明なテープを用いるという配慮は不要となる。
【００１４】
一対のクリアホルダーを内外に組み合わせて袋状のホルダーとなして使用する場合においても、請求項４に係る発明のように、表シート側取り付けガイド片と裏シート側取り付けガイド片の上端部における取り付け位置に段差をつけて配設することにより、挿入する背見出し片の着脱操作を一層円滑、容易になすことができる。
【発明を実施するための最良の形態】
【００１５】
別紙図面の図1〜図6を参照して，本発明に係るクリアホルダーの実施の形態について説明する。
【００１６】
Ａは、合成樹脂製シートを折り返してその間に書類等の資料を収容し、そのシートの背側折り返し部内面側に取り付けガイド片を介して背見出し片を挿入配設して用いるクリアホルダーである。  このクリアホルダーＡは、透明もしくは半透明の合成樹脂製シートを二つ折りに折り返して表シート１と裏シート２とがＵ字状に屈折重合する状態３となし，この屈折重合する表シート１と裏シート２との下側縁部５は溶着等により閉塞する一方、その上側縁部６と屈折重合する背側折り返し部３と反対側の側縁部４とは開放して、その表裏両シート１、２間の空間部に紙面や書類等の資料を収容して使用するようになしたものである。  ７は、表シート１に形成された切欠穴で、ホルダーへの書類等の資料の収容，取り出しに便となしたものである。
【００１７】
このクリアホルダーのＡの背側折り返し部３側の表裏両シート１，２の夫々の内面側で，その背側折り返し部３からやや離隔した位置に、適宜幅適宜長さの長方形状の表シート側及び裏シート側の背見出し取り付けガイド片８，９が、図1〜図４に示す如く、夫々そのホルダーの背側折り返し部３と反対側の長さ方向側縁部のみをそれに沿って接着せしめた状態で取り付け配設されている。この背見出し取り付けガイド片８，９と表裏両シート１，２の内面側との接着には、外観体裁を良好になすため透明な両面テープが用いられている。
【００１８】
そして、このクリアホルダーＡの背側折り返し部３内において、背側折り返し部３を間に挟んでその両側に続いて跨る表シート１内面側と表シート側背見出し取り付けガイド片８との間および裏シート２内面側と裏シート側背見出し取り付けガイド片９との間の間隙部内に、図５，図6に示す如く、長さ方向中央部から二つ折りとなした背見出し片１０を着脱可能に挿入装着せしめて用いるものである。
【００１９】
クリアホルダー内における背見出し片１０の配設においては、表裏両シート内面に配設する一対の背見出し取り付けガイド片８，９は同一長さのものを平行に並列配置しても差し支えない。しかし背見出し片１０の取り付け取り外し操作の容易性と迅速性を一層増大させるためには、図面で示すとおり、クリアホルダーの背側折り返し部３内に配設された表シート側背見出し取り付けガイド片８もしくは裏シート側背見出し取り付けガイド片９のいずれか一方の上面部の一部を切欠する又はいずれか一方の上面部を他方の上面部より下方にずらして位置せしめ、両背見出し取り付けガイド片８，９の取り付け高さの位置に段差を設けてその配設を行う。図面では、表シート側背見出し取り付けガイド片８の上面部を切欠して裏シート側背見出し取り付けガイド片９より短尺となしたものを用いている。なお，表シートおよび裏シートの内面側に対する背見出し取り付けガイド片８，９の取り付けの時期ないし手順は、合成樹脂製シートを二つ折りに折り返す前或いは折り返した後のいずれでもさしつかえない。  なおまた，その両取り付けガイド片８，９と両シート内面側との間の空隙部への背見出し片１０の挿入については、両取り付けガイド片８，９の取り付けとシートの折り返し後に行われるのが通常であるが、場合によっては、両取り付けガイド片８，９を取り付けシートを折り返す前に行ってもさしつかえない。
【００２０】
また，収容する資料の量の増加に対応して資料の収容と整理を円滑・整然となすことができ、背見出し片の着脱に伴う利点のみならずクリアホルダーの使用価値の高揚の一層の増大を図るために、一対のクリアホルダーを内外に組み合わせてホルダーとなして使用する場合がある。  即ち，図は省略するが、この場合には、
透明もしくは半透明の合成樹脂製シートを二つ折りに折り返して表シート１と裏シート２とが重合する状態となし，この表シート１と裏シート２との折り返し部３に続く下側縁部５は閉塞部となす一方，表シート１と裏シート２との折り返し部３に続く上側縁部６およびそれと反対側側縁部４は開放部となしその間に紙面や書類等の資料を収容するようになしたクリアホルダー一対Ａ，Ａを、互いに側縁開放部４を対向配置する状態で一方のクリアホルダーＡ内に他方のクリアホルダーＡを挿入し，外側のクリアホルダーＡの表シート１と裏シート２との側縁開放部４側の端面を内側のクリアホルダーＡの表シート１および裏シート２外面に接着して側縁部開放部４を閉塞し，組み合わせた一対のクリアホルダーＡ，Ａの上側縁部のみが開放し内部に資料を収容する袋状ホルダーとなし、この内外に組み合わせた一対のクリアホルダーＡ，Ａの双方もしくは外側配置のクリアホルダーのＡ背側折り返し部３内に背見出し取り付けガイド片８，９を介して背見出し片１０を配設せしめてなるものであり、背見出し取り付けガイド片８，９を介した背見出し片１０の配設は、図示の実施形態のものと同様である。
この場合においては、一対のクリアホルダーを内外に組み合わせて上縁部のみが開放する袋状のホルダーを形成して書類整理等に供しているので、内部に収容する資料の量が増えて，上縁部と側縁部とが開放する通常のクリアホルダーでは収容した資料の脱落のおそれがあるような場合でも、収容する資料の量の増減に対応して内外に組み合わせるホルダーの重合部分の長さないし幅を調節することにより整然と効率的に収容整理することができ、クリアホルダーの使用価値を一層高めることができる。  またこの場合には、内外に組み合わせた外側のホルダーの開放側縁部と内側のホルダーの表裏シート外面との接着に透明なテープを用いることにより、一対のクリアホルダーの背側折り返し部内に夫々取り付けガイド片を介して背見出し片を挿入配設した場合、見出しがホルダーの両側面側に配置されることとなるので棚等に立てて並べたときにいずれの側面を前面側になしても見出しが外部から鮮明に見える状態となり、使用上好適である。  外側配置のホルダーの方のみに背見出し片を挿入したものを用いる場合には、背見出し片が配置された方を前面側となせばよく、この場合には内外に組み合わせるホルダーの開放側縁部側の接着に透明なテープを用いるという配慮は不要となる。
【図面の簡単な説明】
【００２１】
【図１】内部に背見出し取り付けガイド片を配したクリアホルダーの正面図。
【図２】同上のクリアホルダーの背面図。
【図３】同上のクリアホルダーの平面図。
【図４】同上のクリアホルダーの右側面図。
【図５】内部に背見出し取り付けガイド片を介して背見出し片を配設したクリアホルダーの平面図。
【図６】表シートの一部を切除した同上のクリアホルダーの正面図。
【符号の説明】
【００２２】
Ａ    クリアホルダー
１    表シート
２    裏シート
３    背側折り返し部
４    反対側側縁部
５    下側縁部
６    上側縁部
７    切欠穴
８    表シート側背見出し取り付けガイド片
９    裏シート側背見出し取り付けガイド片
１０    背見出し片
【図１】
2008238630.tif 000003
【図２】
2008238630.tif 000004
【図３】
2008238630.tif 000005
【図４】
2008238630.tif 000006
【図５】
2008238630.tif 000007
【図６】
2008238630.tif 000008
【手続補正書】
【提出日】平成19年11月29日(2007.11.29)
【手続補正１】
【補正対象書類名】明細書
【補正対象項目名】０００２
【補正方法】変更
【補正の内容】
【０００２】
従来の斯かるクリアホルダーもしくはクリアファイルの背見出し取り付け手段に関するものとしては、例えば下記に示す特許文献１，２に記載されたもの等がある。
【特許文献１】実開昭６２−９５７３号公報
【特許文献２】特開２００４−１２２４８５号公報